(57)【要約】          本発明は、単語イメージを入力するシステム及び単語イメージ入力方法に関するもので、より詳細には、複雑な言語体系の単語が記録された印刷物を撮影するに適した位置に配置し、前記配置された印刷物を最適の照度と撮影距離でカメラにて撮影して生成された単語イメージを、情報機器を用いて単語が判読できるようにする単語イメージを入力するシステム及び単語イメージ入力方法に関するものである。よって、本発明は、単語が記録された印刷物を撮影する際に震え、伸び現象、照度不安が生じ、生成された単語イメージを単語認識アプリケーションが設けられた情報機器により認識するとき、単語認識率を低下させるのを防止する効果があり、複雑な言語体系の中国語のような単語を簡単に情報機器に入力することができる効果がある。【選択図】          図２
2010529700.tif 000002
【特許請求の範囲】
【請求項１】
単語が記録された印刷物の上部に配置されるように、底面が平らで複数の基準点が表示されている原稿ステージと、前記原稿ステージと組立て又は一体に形成され、前記印刷物の単語を認識するための装置が取り付けられるようにピボット部を有するハンガー部を含む本体部と、前記原稿ステージに単語が記録された印刷物が配置される基準点を表示するため、前記ハンガー部のピボット部と組立結合され、所定の角度で動くことによって光を発する基準点設定照明部と、前記基準点設定照明部により前記原稿ステージに表示された複数の基準点のうちの１つ以上を利用して、配置された印刷物に対して前記印刷物の単語を認識するに適した照度を一定に保つために、照度感知センサーに接続されて自動的に照度を設定する照度設定照明部と、前記基準点設定照明部による基準点に印刷物を配置し、配置された印刷物に前記照度設定照明部による照度で前記印刷物に記録された単語を撮影して単語イメージを生成するカメラと、前記基準点設定照明部、照度設定照明部、カメラにより単語イメージを生成できるように制御し、生成された単語イメージを伝送するための制御装置、及び前記基準点設定照明部、照度設定照明部、カメラ、制御装置に電源を供給するためのスイッチで構成されたイメージ入力装置と；
前記生成された単語イメージを受信して前記単語イメージに記録された単語を認識し判読する単語認識アプリケーションが設けられている情報機器と；及び
前記制御装置の制御命令に従って前記単語イメージ入力装置のカメラで撮影して生成された単語イメージを情報機器に伝送するため、前記単語イメージ入力装置に伝送インタフェースが備えられていることを特徴とする単語イメージを入力するシステム。
【請求項２】
前記基準点設定照明部は、原稿ステージに赤外線又はレーザーにて基準点を表示することを特徴とする請求項１に記載の単語イメージを入力するシステム。
【請求項３】
前記情報機器は、単語イメージを認識することができる単語認識アプリケーションを備える個人用コンピュータ、ＰＤＡ、電子辞書のうちのいずれか１つであることを特徴とする請求項１に記載の単語イメージを入力するシステム。
【請求項４】
前記伝送インタフェースは、ＵＳＢ、ＩｒＤＡ、ＵＡＲＴ、ＷＵＳＢ、ブルートゥース、ジグビーのうちのいずれか１つを利用して単語イメージを情報機器に伝送することを特徴とする請求項１に記載の単語イメージを入力するシステム。
【請求項５】
基準点設定照明部が発する光と、単語が記録された印刷物上部に配置されるように底面が平らな原稿ステージに表示される複数の基準点のうちの１つ以上を利用して基準点を設定する段階Ｓ１０と；
前記設定された基準点を基準にして単語が記録された印刷物が配置され、原稿ステージに取り付けられた照度設定照明部が照度感知センサーに接続され、カメラの撮影に適した照度に自動的に設定される段階Ｓ２０と；
前記設定された照度で最適の解像度で撮影できる焦点距離になるよう前記原稿ステージに連結されたハンガー部に固定されたカメラで前記単語が記録された印刷物を撮影して単語イメージを生成する段階Ｓ３０と；
前記カメラにより生成された単語イメージを伝送インタフェースを介して情報機器に伝送する段階Ｓ４０と；及び
前記伝送インタフェースを介して伝送された前記単語イメージを情報機器に設けられた単語認識アプリケーションで認識し判読する段階Ｓ５０とからなることを特徴とする単語イメージを入力する方法。
【請求項６】
前記原稿ステージに基準点を設定する段階は、基準点設定照明部の発する光が赤外線又はレーザーであることを特徴とする請求項５に記載の単語イメージを入力する方法。
【請求項７】
前記単語イメージを情報機器に伝送する段階は、ＵＳＢ、ＩｒＤＡ、ＵＡＲＴ、ＷＵＳＢ、ブルートゥース、ジグビーのうのうちのいずれか１つにより行われることを特徴とする請求項５に記載の単語イメージを入力する方法。
【請求項８】
前記情報機器は、前記単語認識アプリケーションを備える個人用コンピュータ、ＰＤＡ、電子辞書のうちのいずれか１つであることを特徴とする請求項５に記載の単語イメージを入力する方法。
【発明の詳細な説明】
【技術分野】
【０００１】
本発明は、単語イメージを入力するシステム及び単語イメージを入力する方法に関するもので、より詳細には、言語体系の複雑な単語が記録された印刷物を撮影するに適した位置に配置し、前記配置された印刷物を最適の照度と撮影距離でカメラで撮影して生成された単語イメージを、情報機器を介して単語が判読できるようにする、情報機器に単語イメージを入力するシステム及び単語イメージ入力方法に関するものである。
【背景技術】
【０００２】
従来の単語認識システムは、印刷物を撮影するカメラ１０と、前記カメラ１０で撮影して生成されたイメージを文字として解読する情報機器２０で構成される。
【０００３】
上記のように構成された単語入力システムは、カメラで撮影した印刷物のイメージを情報機器２０に入力する際に、前記印刷物のイメージは、カメラで撮影した全体領域に含まれる多くの文字を撮影したものであるので、特定単語のみを情報機器２０に入力するには適しないという問題点があった。
【０００４】
さらに、情報機器２０に入力される入力対象である印刷物（筆記物を含む）とカメラとの間の焦点距離の可変性および震える現象により、撮影した印刷物イメージの震え、伸び現象、照度の不安定などが発生して認識率が低下するという問題点があった。
【０００５】
このような震え、伸び現象、照度の不安定を解決するために、スキャナーで印刷物をスキャンして生成した印刷物のイメージを情報機器２０に入力する技術があるが、スキャンのスタートポイントの不一致およびスキャン速度の不一定性のため、印刷物に記録された単語を認識する認識率が低下するという問題点があった。
【０００６】
また、従来技術として、特定単語のみを情報機器２０に入力するために、コンピュータのキーボードを利用して特定単語を入力する技術がある。しかし、キーボードを利用した技術は、複雑な言語体系の中国語のような単語は、キーボードで入力することが難しいという問題点があった。
【発明の概要】
【発明が解決しようとする課題】
【０００７】
そこで、本発明は上記従来の問題点に鑑みてなされたものであって、本発明の目的は、単語が記録された印刷物を最適の環境で撮影して単語イメージを生成し、前記単語イメージを単語認識情報機器に提供することである。
【０００８】
本発明のこれらの特徴および他の特徴は、以下の説明および付属の請求項を読むとよりいっそう明らかになるか、又は、以下で述べているように本発明を実施することで学ぶことができる。
【課題を解決するための手段】
【０００９】
上記目的を達成するためになされた本発明の一実施形態によれば、本発明の単語イメージを入力するシステムは、単語が記録された印刷物が配置されるように上部が平らな原稿ステージと、前記原稿ステージと組み立て又は一体に形成されて、前記印刷物の単語を認識するための装置が取り付けられるハンガー部を含む本体部と、前記原稿ステージに単語が記録された印刷物が配置される基準点が形成されるように光を発する基準点設定照明部と、前記基準点設定照明部により原稿ステージに表示された基準点に配置された印刷物に対して、前記印刷物の単語を認識しやすい照度を一定に保つ照度設定照明部と、前記基準点設定照明部による基準点に印刷物が配置され、配置された印刷物に前記照度設定照明部による照度により前記印刷物に記録された単語を撮影して単語イメージを生成するカメラと、前記基準点設定照明部、照度設定照明部、カメラにより単語イメージを生成できるように制御し、生成された単語イメージを伝送するための制御装置と、及び前記基準点設定照明部、照度設定照明部、カメラ、制御装置に電源を供給するためのスイッチで構成された単語イメージ入力装置と；前記生成された単語イメージを受信して前記単語イメージに記録された単語を判読する認識装置からなることを特徴とする。
【００１０】
前記目的を達成するための本発明の他の一実施形態によれば、本発明の情報機器に単語を入力する方法は、基準点設定照明部が発する光を利用して単語が記録された印刷物が配置される原稿ステージに基準点を設定する段階と、前記設定された基準点を基準にして単語が記録された印刷物が配置され、照度設定照明部が撮影するに適した照度に設定する段階と、前記設定された照度で最適の解像度で撮影できる焦点距離になるように、前記原稿ステージに連結されたハンガー部に固定されたカメラが、前記単語が記録されている印刷物を撮影して単語イメージを生成する段階と、前記生成された単語イメージを情報機器に伝送する段階、及び前記伝送された単語イメージを情報機器に設けられた単語認識アプリケーションにより判読する段階を含む。
【００１１】
本発明の上記のような目的および他の特徴や利点は、添付図面と併せて以下の詳細な説明を参照することにより更に良く理解されるようになる。
【図面の簡単な説明】
【００１２】
【図１】従来の単語イメージ入力システムの構成図。
【図２】本発明による単語イメージを入力するシステムの構成図。
【図３】本発明による単語イメージ入力装置のピボット部の断面図。
【図４】本発明による単語イメージを入力するフローチャート。
【発明を実施するための形態】
【００１３】
図２は、本発明による単語イメージを入力するシステムの構成図である。前記システムは、単語が記録された単語イメージを生成する単語入力装置１００と、前記単語イメージを受信して単語を生成する情報機器２００で構成される。
【００１４】
より詳細には、前記単語入力装置１００は、本体部１１０と、基準点設定照明部１２０と、照度設定照明部１３０と、カメラ１４０及びスイッチ１５０で構成される。
【００１５】
前記本体部１１０は、単語が記録された印刷物をしわおよび動きが生じないように安定的に配置し、印刷物に記録された単語を撮影しやすくする上部面が平らな原稿ステージ１１１と、前記原稿ステージ１１１のいずれか一側面に組立て又は一体に形成され、前記原稿ステージ１１１の上部面から所定の距離離れた基準点設定照明部１２０、照度設定照明部１３０、カメラ１４０及びスイッチ１５０が設けられているハンガー部１１２とからなる。
【００１６】
前記所定の距離は、印刷物に記録された単語を最適の距離で撮影するために固定される焦点距離である。
【００１７】
さらに、単語イメージ入力装置１００は、本体部１１０内部に基準点設定照明部１２０と照度設定照明部１３０、カメラ１４０及びスイッチ１５０を制御し、単語イメージを情報機器２００に伝送するための制御装置１６０を備えている。
【００１８】
前記制御装置１６０は、カメラ１４０で撮影して生成される単語イメージを情報機器２００に伝送するために、ＵＳＢ（Universal  Serial  Bus）、ＩｒＤＡ（Infrared  Data  Association）、ＵＡＲＴ（Universal  Asynchronous  Receiver  Transmitter）、ＷＵＳＢ（Wireless  Universal  Serial  Bus）、ブルートゥース（Bluetooth）及びジグビー（ZigBee）などの通信方式のうちのいずれか１つの伝送インタフェースを含む。
【００１９】
前記基準点設定照明部１２０は、ハンガー部１１２に組立固定されており、原稿ステージ１１１に印刷物を配置するための基準点を赤外線又はレーザー光にて表示する。
【００２０】
従って、前記基準点により印刷物の位置を調整するためには、基準点設定照明部１２０が所定の角度で動く必要があり、図３に示すように、取り付けられる基準点設定照明部１２０とハンガー部１１２に形成されたピボット部１１２-１と組立結合されて所定の角度で動くことにより、使用者の所望の位置の基準点を原稿ステージ１１１に表示することが好ましい。
【００２１】
即ち、ピボット部１１２-１に結合されることで、基準点設定照明部１２０から発する光を使用者が所望の位置に該当基準点を原稿ステージ１１１に表示し、前記基準点に印刷物を配置することができる。
【００２２】
結果的に、従来のスキャナーを利用する場合、印刷物のスキャン基準点の不一致によりスキャン速度が不均一になり、認識率が低下するという問題点があったが、機具的に安定的に基準点設定照明部１２０を取り付けることで、前記基準点を利用してスキャン速度を向上させて認識率を高めることができる。
【００２３】
前記照度設定照明部１３０は、ハンガー部１１２に固定結合され、カメラ１４０で撮影した印刷物に一定の照度を提供する。即ち、気象変化や本発明の単語イメージ入力装置１００が他の場所に移動される場合など、様々な場合において、照度が不均一になり、撮影される単語イメージに記録された単語を認識するための認識率が低下するので、前記照度設定照明部１３０は、使用者が設定した照度を常に一定に保つ。
【００２４】
さらにまた、前記照度設定照明部１３０としてはＬＥＤを利用することが好ましく、照度を手動で調節可能にするとともに、照度感知センサーを照度設定照明部１３０に接続して自動的に照度を設定することが好ましい。
【００２５】
前記カメラ１４０は、ハンガー部１１２に固定されており、原稿ステージ１１１に印刷物を配置しやすくした上部面に配置された印刷物を撮影する。
【００２６】
これにより、前記カメラ１４０の持っている多様な機能の中には、被写体を撮影する過程でカメラの表示部が周辺背景より被写体をより確実に捉えるため、被写体が位置した距離に比例して自動的に焦点を合わせる機能があるので、ハンガー部１１２に固定されたカメラ１４０と印刷物との間の最適の焦点距離を設定してハンガー部１１２に固定することが好ましい。
【００２７】
前記スイッチ部１５０は、前記基準点設定照明部１２０、照度設定照明部１３０、カメラ１４０が動作するように電源を印加する。
【００２８】
前記情報機器２００は、前記本体１１０、基準点設定照明部１２０、照度設定照明部１３０、カメラ１４０及びスイッチ１５０からなる単語イメージ入力装置１００により単語が記録された印刷物を撮影して生成された単語イメージを受信して、前記単語イメージに記録された単語を認識する。
【００２９】
また、情報機器２００としては、単語イメージを認識することができる単語認識アプリケーションが設けられたＰＣ（Personal  Computer）、ＰＤＡ（Personal  Digital  Assistant）、電子辞書などが好ましい。
【００３０】
図４は、本発明による単語イメージ入力方法のフローチャートであり、前記単語イメージの入力方法は次の段階からなる。
【００３１】
基準点設定照明部が発する光を利用して単語が記録された印刷物が配置される原稿ステージに基準点を設定する段階Ｓ１０と、前記設定された基準点を基準にして単語が記録された印刷物が配置され、照度設定照明部が撮影するに適した照度に設定される段階Ｓ２０と、前記設定された照度で最適の解像度で撮影できる焦点距離になるように前記原稿ステージと連結されたハンガー部に固定されるカメラが前記単語が記録された印刷物を撮影して単語イメージを生成する段階Ｓ３０と、前記生成された単語イメージを情報機器に伝送する段階Ｓ４０、及び前記伝送された単語イメージを情報機器に設けられた単語認識アプリケーションにより判読する段階Ｓ５０からなる。
【００３２】
より詳細には、前記基準点設定照明部が発する光を利用して単語が記録された印刷物が配置される原稿ステージに基準点を設定する段階Ｓ１０は、図３に示すように、単語入力システムは単語イメージ入力装置１００と情報機器２００で構成され、前記単語イメージ入力装置１００は、本体部１１０と、基準点設定照明部１２０と、照度設定照明部１３０と、カメラ１４０及びスイッチ１５０で構成され、前記本体部１１０は、単語が記録された印刷物をしわおよび動きが生じないように安定的に配置し、印刷物の単語を撮影しやすくする上部面が平らな原稿ステージ１１１と、前記原稿ステージ１１１のいずれか一側面に組立て又は一体に形成され、前記原稿ステージ１１１の上部面から所定の距離離れた基準点設定照明部１２０、照度設定照明部１３０、カメラ１４０及びスイッチ１５０が取り付けられるハンガー部１１２で構成される。
【００３３】
さらに、前記本体部１１０には、基準点設定照明部１２０と照度設定照明部１３０、カメラ１４０及びスイッチ１５０を制御し、情報機器２００に撮影された単語を伝送するための制御装置１６０が設けられている。
【００３４】
上記のような構成により、基準点設定照明部１２０は、赤外線又はレーザーのような光を用いて、前記原稿ステージ１１１の印刷物が配置される上部面の一側に前記光が表示されるようにして、単語が記録された印刷物を配置するための基準点を表示する。これにより、単語イメージ入力装置１００の底面が平らな原稿ステージ１１１の底下に撮影しようとする文書が原稿ステージ１１１に表示された複数の基準点のうちの１つ以上を利用して配置されることによって基準点が設定される。即ち、単語が記録された印刷物の上に本発明による単語イメージ入力装置１００をのせてカメラ１４０で撮影する。
【００３５】
前記設定された基準点を基準にして単語が記録された印刷物が配置され、照度設定照明部が撮影するに適した照度に設定される段階Ｓ２０は、基準点設定照明部１２０により原稿ステージ１１１に撮影する単語が記録された印刷物が配置される基準点が表示されると、使用者が単語が記録された印刷物を前記基準点に合わせて配置し、ハンガー部１１２に固定結合された前記照度設定照明部１３０は、単語が記録された印刷物を最適の照度で撮影できるように照度を一定に調節する。
【００３６】
このような前記照度は、気象変化や本発明の単語イメージ入力装置が他の場所に移動される場合など、様々な原因で照度が不均一になり、撮影する単語イメージの単語を認識する認識率が低下するので、照度設定照明部１３０を利用して常に一定の照度が保たれるように設定する。
【００３７】
また、前記照度設定照明部１３０としてはＬＥＤが好ましく、照度を手動で調節できるようにするとともに、照度感知センサーを照度設定照明部１３０に接続して自動的に照度を設定することが好ましい。
【００３８】
特に、原稿ステージ１１１は、平らに形成されて単語が記録された印刷物のしわを防止し、撮影時の単語認識に適した形態の単語イメージを得ることができ、原稿ステージ１１１は、単語が記録された印刷物がしわにならないように配置するため中央部分を凹状に形成し、原稿ステージ１１１が平らに形成されて、照度設定照明部１３０から発される光が単語が記録された印刷物に均一に拡散される。
【００３９】
前記設定された照度で最適の解像度で撮影できる焦点距離になるように前記原稿ステージに連結されたハンガー部に固定されるカメラが、前記単語が記録された印刷物を撮影して単語イメージを生成する段階Ｓ３０は、カメラ１４０がハンガー部１１２に固定され、原稿ステージ１１１に印刷物を配置しやすくした上部面に配置される印刷物を撮影して単語イメージを生成し、前記単語イメージを制御装置１６０に設けられた格納媒体に臨時保存する。
【００４０】
前記格納媒体に臨時保存される単語は、情報機器で単語を順に判読するために臨時保存されており、撮影された単語イメージを持続的に伝送するよりも一時保存した後で順次に伝送するのが効率的である。
【００４１】
従って、前記カメラ１４０の持っている多様な機能の中には、被写体を撮影する過程でカメラの表示部が周辺背景より被写体をより確実に捉えるため、被写体が位置した距離に比例して自動的に焦点を合わせる機能があるので、ハンガー部１１２に固定されたカメラ１４０と印刷物との間の最適の焦点距離を設定してハンガー部１１２に固定することが好ましい。
【００４２】
前記生成された単語イメージを情報機器に伝送する段階Ｓ４０は、カメラ１４０により生成された単語イメージを制御装置１６０に設けられた伝送インタフェースを介して情報機器２００に伝送する。
【００４３】
前記伝送インタフェースとしては、ＵＳＢ（Universal  Serial  Bus）、ＩｒＤＡ（Infrared  Data  Association）、ＵＡＲＴ（Universal  Asynchronous  Receiver  Transmitter）、ＷＵＳＢ（Wireless  Universal  Serial  Bus）、ブルートゥース（Bluetooth）及びジグビー（ZigBee）などがある。
【００４４】
前記伝送された単語イメージを情報機器に設けられた単語認識アプリケーションにより判読する段階Ｓ５０は、情報機器２００が前記本体部１１０、基準点設定照明部１２０、照度設定照明部１３０、カメラ１４０及びスイッチ１５０からなる単語イメージ入力装置１００により、撮影された単語イメージを伝送インタフェース部からカメラが撮影した単語イメージを受信して保存し、保存された単語イメージを情報機器２００に設けられた単語認識アプリケーションにより単語イメージとして記録された単語を判読する。
【００４５】
また、情報機器２００としては、単語イメージを認識することができる単語認識アプリケーションを備えているＰＣ、ＰＤＡ、電子辞書などが好ましい。
【産業上の利用可能性】
【００４６】
以上のように、本発明は、第１に、単語が記録された印刷物を撮影する際に、震え、伸び現象、照度の不安定などが生じ、生成された単語イメージを単語認識アプリケーションが設けられた情報機器により認識するとき、単語認識率を低下させるのを防止する効果を有する。
【００４７】
第２に、複雑な言語体系の中国語のような単語を簡単に情報機器に入力することができる効果を有する。
【００４８】
以上、本発明の実施例について説明したが、以上の説明は単なる実施例を示したものにすぎず、限定的なものではない。また、添付の請求の範囲またはその均等の範囲内に含まれる限り、そのような修正および変更は全て本発明に包含される。
【図１】
2010529700.tif 000003
【図２】
2010529700.tif 000004
【図３】
2010529700.tif 000005
【図４】
2010529700.tif 000006
【国際調査報告】
2010529700.tif 000007
2010529700.tif 000008